(57)【要約】【課題】下方に注ぎ口を設け、上方の左右隅部に吊下げ用の掛止孔を設けて、バッグ単体で使用する液体を充填したフィルム製のバッグを提供する。【解決手段】バッグの袋部が、バッグの下方に設けた注ぎ口と、バッグの左右一対の側辺部と、該左右の側辺部の少なくとも下方から注ぎ口に向かうテーパ状の底辺部と、前記左右一対の側辺部の上端間をつなぐ上辺部とからなっており、該上辺部の上部に、前記底辺部のテーパ状に対応する切欠部を有して上方に延びる左右一対の把持片部を有しており、各把持片部に形成される掛止孔の孔縁部が、バッグの表裏のフィルムをシールしたシール部であって、該シール部が、掛止孔の孔縁部をシール幅の中途位置に設定して穿設されてなることを特徴とする。【選択図】図１
2018083638.tif 000002
【特許請求の範囲】
【請求項１】
液体類を充填するフィルムタイプのバッグであって、下方に注ぎ口を設け、上方の左右隅部に吊下げ用の掛止孔を一対に設けた吊下げ用バッグ構造において
バッグを構成する表裏の各フィルムが、バッグの接液側フィルムをポリエチレンフィルムとし、バッグの外側フィルムを、ラミネートした延伸フィルムとしており、
バッグの袋部が、バッグの下方に設けた注ぎ口と、バッグの左右一対の側辺部と、該左右の側辺部の少なくとも下方から注ぎ口に向かうテーパ状の底辺部と、前記左右一対の側辺部の上端間をつなぐ上辺部とからなっており、
該上辺部の上部に、前記底辺部のテーパ状に対応する切欠部を有して上方に延びる左右一対の把持片部を有しており、
各把持片部に形成される掛止孔の孔縁部が、バッグの表裏のフィルムをシールしたシール部のシール幅の中途位置に切取線が設定されて穿設されてなることを特徴とする吊下げ用バッグ構造。
【請求項２】
一対の把持片部に、掛止孔を避けた個所に、無端形状の補強シール部が設けられていることを特徴とする請求項１に記載の吊下げ用バッグ構造。
【請求項３】
バッグの少なくとも内側のファイルが、透明または半透明のフィルムからなっていることを特徴とする請求項１または２に記載の吊下げ用バッグ構造。
【発明の詳細な説明】
【技術分野】
【０００１】
本発明は、バッグインボックスに替えてバッグを直接に壁掛けなどにして使用することができる吊下げ用バッグ構造に関するものである。
【背景技術】
【０００２】
従来、液体類の内容物を収納したフィルムタイプの袋状の内装容器を段ボールケースを主体とする外装容器に収納したバッグインボックスが知られている。
しかし、段ボールの持込み禁止エリアでは、外装容器が段ボールケースであるため使用できなかった。
また、内装容器がフィルムタイプの袋であるため、上記袋が損傷しないように、段ボールケースを頑丈なものとする必要がある。
内容物の使用中は、フィルムタイプの袋は段ボールケースの中に収納されているので、外部からは内容物の残量が分からない。
更に、ケースの下部を開口し、前記袋に取り付けられた注ぎ口を外に引き出して使用しているので、注ぎ口の位置が外装容器の開口の位置によって固定され、袋の内部の液体類をすべて使い切ることは困難であり無駄が生じている。
特に、厨房等で使用する場合には、段ボールケースの紙粉が食品中に混入するおそれがあり、また、水濡れにも弱く、更に嵩張るために余計なスペースを確保する必要があった。
そこで、特開２００４−６７２１０号には、内容液の入った注出口付きのバッグインボックス内袋と、該バッグインボックス内袋収納時に注出操作が可能な状態で該バッグインボックス内袋を収納する函体を有するサーバーとを含む液体サーバー装置において、前記バッグインボックス内袋は、前記注出口から離間した隅部に、貫通孔または折り込みからなる吊り下げ部を有し、かつ前記サーバーは、該バッグインボックス内袋の吊り下げ部を掛止した際に、該バッグインボックス内袋の注出口が該吊り下げ部よりも下方となる前記函体内の位置に、該吊り下げ部を掛止する掛止部を有する構成が提案されている。
そして、筐体に収納された注出口付きのバッグインボックスの内袋が、前記注出口から離間した隅部に、貫通孔または折り込みからなる吊り下げ部を有し、かつ前記筐体を有するサーバーには、バッグインボックス内袋の吊り下げ部を掛止した際に、該バッグインボックス内袋の注出口が該吊り下げ部よりも下方となる前記函体内の位置に、該吊り下げ部を掛止する掛止部を有する構成が開示されている。
上記構成では、内袋を外箱から取り出して、液体サーバー装置の筐体内の上部のフックに吊り下げ部を掛止めて、サーバーの傾斜面上に内袋を斜めに配置する構成からなっているが、内袋だけで使用することは考えられておらず、大型のサーバー装置が必要となり、省スペースやフックの位置を変更することはできない。
更に、サーバー装置には前面扉が設けられるので、内袋だけを透明にしても扉を透明にしないと内袋内の残量を常時確認することができない。
【先行技術文献】
【特許文献】
【０００３】
【特許文献１】特開２００４−６７２１０号公報
【発明の概要】
【発明が解決しようとする課題】
【０００４】
この発明が解決しようとする問題点は、段ボールケースやサーバー装置を用いることなく、フィルムタイプの内装容器だけで用いることができるようにした吊下げ用バッグ構造を提供することにある。
【課題を解決するための手段】
【０００５】
本発明は、上記課題を達成するために、請求項１の発明では、
液体類を充填するフィルムタイプのバッグであって、下方に注ぎ口を設け、上方の左右隅部に吊下げ用の掛止孔を一対に設けた吊下げ用バッグ構造において
バッグを構成する表裏の各フィルムが、バッグの接液側フィルムをポリエチレンフィルムとし、バッグの外側フィルムを、ラミネートした延伸フィルムとしており、
バッグの袋部が、バッグの下方に設けた注ぎ口と、バッグの左右一対の側辺部と、該左右の側辺部の少なくとも下方から注ぎ口に向かうテーパ状の底辺部と、前記左右一対の側辺部の上端間をつなぐ上辺部とからなっており、
該上辺部の上部に、前記底辺部のテーパ状に対応する切欠部を有して上方に延びる左右一対の把持片部を有しており、
各把持片部に形成される掛止孔の孔縁部が、バッグの表裏のフィルムを一体にシールしたシール部のシール幅の中途位置に設定され穿設されてなることを特徴とする。
請求項２の発明では、
前記一対の把持片部に、掛止孔を避けた個所に、無端形状の補強シール部が設けられていることを特徴とする。
請求項３の発明では、
前記バッグが、透明または半透明のフィルムからなっていることを特徴とする。
【発明の効果】
【０００６】
本発明のバッグ構造では、掛止孔を壁面などの任意の個所に固定したフックに掛け止め、注ぎ口部が下になるように吊り下げることができるように、バッグの表裏のフィルムの外側フィルムにポリエチレンフィルムと延伸フィルムとを接着させたフィルムを用いることで、バッグの強度を上げることができると共に、掛止孔の孔縁部をシール部のシール幅の中途位置に設定することで掛止孔の孔縁部を強化して液体が充填されたバッグを吊り下げて支持することができる。
また、外装ケースは、商品の流通時にだけバッグを収納、保持することができればよく、バッグの使用に際しては外装ケースやサーバー装置は不要であり、バッグ単体をフック等の掛止手段に吊り下げることで使用に供するので、コストダウンを図ることができ、また従来のように外装ケースの段ボールの紙粉が室内に入り込むおそれもない。
また、バッグは注ぎ口部を下にして使用するため、粘度の高い液体であっても底辺部のテーパに沿って自重で液体が流下してくるので、バッグ内に残液が残りにくい。
また、バッグは左右の掛止孔を有しているので、前記一対の掛止手段の配置を離間位置または接近位置に変えることでバッグの形態が変わり、収納された液体の流量を調整することができる。
更に、バッグを透明ないし半透明の袋部とすれば、収納された液体の残量も容易に視認することができる。
このようにバッグは吊り下げて使用するので、省スペースを図ることができる。
【図面の簡単な説明】
【０００７】
【図１】実施例１の吊下げ用バッグの正面図である。
【図２】使用状態を示す側面図である。
【図３】バッグのフィルム構成を示す部分拡大断面図である。
【図４】（ａ）はフックの位置を接近させた状態の使用状態を示す正面図、（ｂ）は１つのフックに掛止める使用状態を示す正面図である。
【図５】掛止孔周辺を示す拡大図である。
【図６】繰り出した表裏のフィルムをバッグ形状に切断する状態を説明する平面図である。
【発明を実施するための形態】
【０００８】
液体類を充填するフィルムタイプのバッグ１の下方に注ぎ口３を設け、上方の左右隅部に吊下げ用の掛止孔１３、１４を一対に設けて、前記バッグ１を吊り下げて使用することができることを特徴とする。
【実施例１】
【０００９】
図１に示す本実施例の吊下げ用バッグ１は、袋部２が、本実施例の場合、表裏のフィルム２０Ａ、２０Ｂをシール部Ｈによって枠状に囲み袋部２としたもので、該袋部２の一端側の略中央に注ぎ口３を形成しており、注ぎ口３側を下方、対向する側を上方として説明する。
【００１０】
本実施例の吊下げ用バッグ１のフィルム構成は、図３に示すように、バッグ１を構成する表裏の各フィルム２０Ａ、２０Ｂが、バッグ１の接液側フィルムをポリエチレンフィルム２２とし、バッグの外側フィルム２３を延伸フィルムとし、該延伸フィルムの一例として、前記ポリエチレンフィルム２２と接する側に延伸ポリエチレンフィルム２４を配し、外側に延伸ナイロンフィルム２６を配して接着剤２５で一体に接着した構成からなっている。
【００１１】
上記構成からなるので前記外側フィルム２３によって延伸方向への強度を高めると共に、ポリエチレンフィルム２２によって易引裂性の欠点を解消するので、全体としてバッグ１の強度を高めている。
【００１２】
なお、上記フィルムの厚みの一例を示すと、外側フィルム２３は約７５μｍのラミネートフィルムであって、本実施例では、前記延伸ナイロンフィルム２６が約１５μｍ、延伸ポリエチレンフィルム２４が約６０μｍであり、中間に接着剤２５を介して一体に形成されている。
上記外側フィルム２３は、任意のバリア基材をラミネートするものでもよい。
また、接液側フィルムのポリエチレンフィルム２２は９０μｍの厚みからなっている。
上記フィルムの厚みは特に限定されるものではなく、液体の種類や用途、使用条件などによって適宜数値で用いることができる。
【００１３】
そして、各表裏のフィルム２０Ａ、２０Ｂの外側フィルム２３と接液側フィルム２２間は接着されずに独立しており隙間Ｓ１が生じる。
各表裏のフィルム２０Ａ、２０Ｂ間（接液側フィルム間２２，２２）には液体類の収納用の空間Ｓ２が形成され、袋部の輪郭部分は、シール部Ｈにより表裏のすべてのフィルム２０Ａ、２０Ｂが一体に熱溶着される構成となっている。
【００１４】
前記バッグ１の袋部２を形成するシール部Ｈは、本実施例の場合、図１に示すように、無端で略ホームベース形状につながっている。
即ち、シール部Ｈは、前記フィルムの左右の側縁に沿って内側に左右一対の側辺部４，５と、左右の側辺部４，５の少なくとも下方から注ぎ口３に向かってテーパ状に延び、注ぎ口３の下側を囲む底辺部６と、前記左右一対の側辺部４，５の上端間を略水平につなぐ上辺部７とからなっている。
【００１５】
バッグ１は、前記シール部Ｈの上辺部７より上部が、前記底辺部６のテーパ状に対応する切欠部１０を有して上方に延びる左右一対の把持片１１、１２を有している。
図示例では、上記把持片１１、１２は、対称に配置されフィルムの側端に沿って延びた略直角三角形状のフィルム片からなっている。
【００１６】
上記各把持片部１１，１２には、上方隅部に掛止孔１３、１４が形成されている。
該掛止孔１３、１４は、フックなどの掛止手段Ｆに掛け止められてバッグ１を注ぎ口３が下になるように吊り下げた状態で保持する。
【００１７】
ここで、一対のフック（掛止手段）Ｆは、展開した袋部２の掛止孔１３、１４の間隔に合わせて離間させれば、図１のようにバッグ１を掛止めることができるが、一対のフックＦの間隔を接近させて配置することで、図４（ａ）に示すようにバッグ１の上側を絞った状態で掛け止め、吊り下げることができ、収納された液体の排出圧力を高めることができる。
そこで、図４（ｂ）に示すように１つのフックＦに２つの掛止孔１３、１４を合わせて掛け止めてもよい。
【００１８】
図５で明瞭なように、上記掛止孔１３，１４の孔縁部は、前記把持片１１，１２の表裏のフィルムを所望の孔形状に一体にシールして通常のシール部よりシール幅を広くした把持片シール部Ｈ２のシール幅の中途位置に切取り線Ｌを設定し、該切取り線Ｌに沿って孔形状に穿設して掛止孔１３、１４が形成される。
これにより掛止孔１３，１４の孔縁部１３ａ、１４ａは、一定のシール幅を有する縁部となり、且つ剪断面が一体に熱溶着されたシール面からなっているので、掛止孔１３、１４に荷重がかかっても変形したり損傷することがない。
【００１９】
また、把持片部１１、１２の掛止孔１３、１４を除いた個所には、把持片部１１、１２とほぼ相似形状の略直角三角形の枠形状からなる補強シール部Ｈ３が設けられる。
これにより、把持片部１１，１２の強度も高まるので、バッグ１を注ぎ口３を真下にし、上部の掛止孔１３、１４を掛止手段Ｆに掛け止める際に、把持片部１１，１２を持ってバッグ１をバランスよく持ち上げることができる（図２参照）。
【００２０】
本実施例のバッグ１は上記形状からなっているので、ロール状の長尺の表裏のフィルム２０Ａ、２０Ｂを繰り出して、前記底辺部６に沿った横倒く字状の切断線Ｃに沿って切断し切り離すことで、下端の底辺部６の形状と上端の切欠部１０の形状が一致するので、フィルム２０Ａ、２０Ｂに無駄な部分を生じさせることなく切断して使用することができる（図６参照）。
【００２１】
また上記フィルムは、少なくともフィルム２０Ａ、２０Ｂのどちらか一方に透明または半透明のフィルムを用いることで、袋部２内に残留している液体の量を外側から目視確認することができ便利である。
上記実施例では底辺部は略く字状としたが、左右の傾斜角度は同一でなくてもよい。
【００２２】
また、底辺部は、注口部を超えた下方部分はテーパ状でなくてもよく、略水平につながっている形状でもよい。
更に、袋部に収納する液体類は、シャンプー、リンスなどの洗剤類、液体の食品や調味料類など、注ぎ口から流下する流動性を有するものであればよく、特に限定されるものではない。
この発明は、上記実施例に限定されるものではなく、要するに、この発明の要旨を変更しない範囲で種々設計変更することができる。
【符号の説明】
【００２３】
１    バッグ
２    袋部
３    注ぎ口
４、５  側辺部
６    底辺部
７    上辺部
１０    切欠部
１１、１２  把持片
１３、１４  掛止孔
１３ａ、１４ａ  孔縁部                      
１４      孔縁部形成用のシール部
１５    シール幅の中途位置に設定される穿設位置
２０Ａ、２０Ｂ    表裏のフィルム
２２    ポリエチレンフィルム（接液側フィルム）
２３    外側フィルム
２４    延伸ポリエチレンフィルム
２５    接着剤
２６    延伸ナイロンフィルム
【図１】
2018083638.tif 000003
【図２】
2018083638.tif 000004
【図３】
2018083638.tif 000005
【図４】
2018083638.tif 000006
【図５】
2018083638.tif 000007
【図６】
2018083638.tif 000008